(57)【要約】【課題】発光部材の表示に変化を与え、見映えのある斬新な視認性を実現できる指針計器を提供する。【解決手段】指針計器１は、文字盤２と、文字盤２の表面に沿って回動する指針３と、指針３を発光させる第１光源５ａと、指針３の前方であって少なくとも指針３が回動する領域に配設された発光部材８とを備える。発光部材８は、第１光源５ａが発する光を受けて指針３が発する光を入光する受光部８ａと、受光部８ａから入光した光を前方へ発する出光部８ｂとを有する。これにより、指針計器１において、見映えのある斬新な視認性を実現できる。【選択図】  図２
2006220622.tif 000002
【特許請求の範囲】
【請求項１】
文字盤と、
前記文字盤の表面に沿って回動する指針と、
前記指針を発光させる第１光源と、
前記指針の前方であって少なくとも該指針が回動する領域に配設され、前記第１光源が発する光を受けて該指針が発する光を入光する受光部と該受光部から入光した該光を前方へ発する出光部とを有する発光部材とを備える指針計器。
【請求項２】
文字盤と、
前記文字盤の表面に沿って回動する指針と、
前記文字盤の背後に配設された第２光源と、
前記指針の前方であって少なくとも該指針が回動する領域に配設され、前記第２光源が発する光を入光する受光部と該受光部から入光した該光を前方へ発する出光部とを有する発光部材とを備える指針計器。
【請求項３】
前記文字盤の背後に配設された第２光源を備え、
前記受光部は、前記第２光源が発する光を入光し、
前記出光部は、前記受光部から入光した前記光を前方へ発することを特徴とする請求項１に記載の指針計器。
【請求項４】
前記受光部と前記出光部の一方は、該受光部から入光した前記光の色調を変化させる着色層を備えることを特徴とする請求項１ないし請求項３のいずれか一項に記載の指針計器。
【請求項５】
前記文字盤は、前記第２光源が発する光を前記発光部材の前記受光部へ透過させる透光部を備えることを特徴とする請求項２または請求項３に記載の指針計器。
【請求項６】
前記発光部材は、前記受光部から入光した前記光を前記出光部に反射する反射面を備えることを特徴とする請求項２または請求項３に記載の指針計器。
【請求項７】
前記指針の前方であって該指針の中央部に配設された化粧部材を備え、
前記発光部材を、前記化粧部材の外周に配設することを特徴とする請求項１ないし請求項６のいずれか一項に記載の指針計器。
【請求項８】
前記発光部材は、その外周側の全側面に不透光層と非反射層の少なくとも一方を備えることを特徴とする請求項７に記載の指針計器。
【請求項９】
前記発光部材は、その外周側の側面に凹部と凸部の少なくとも一方を備えることを特徴とする請求項７または請求項８に記載の指針計器。
【請求項１０】
前記化粧部材は、開口部を有し、
前記化粧部材と前記指針との間に配設され、前記開口部を通して情報を表示する表示器を備えることを特徴とする請求項７ないし請求項９のいずれか一項に記載の指針計器。
【請求項１１】
車両用の指針計器であって、
前記表示器は、自車両に関する異常内容を告知する情報を表示することを特徴とする請求項１０に記載の指針計器。
【請求項１２】
前記出光部は、凹部と凸部の少なくとも一方を備えることを特徴とする請求項１ないし請求項１１のいずれか一項に記載の指針計器。
【請求項１３】
前記発光部材は、前記文字盤と前記指針の前面を覆う透光性フロントカバーの一部として形成され、
前記受光部は、前記透光性フロントカバーから前記指針に向かって延出する延出部の端部として形成されることを特徴とする請求項１ないし請求項１２のいずれか一項に記載の指針計器。
【発明の詳細な説明】
【技術分野】
【０００１】
本発明は、発光部材を備える指針計器に関するものである。
【背景技術】
【０００２】
近年、自動車に装備される車両用指針計器において、見映えのある斬新な視認性を確保するため、様々な方法が採られている。
【０００３】
例えば、指針基部の前面に遮光性を備えた遮光体設け、この指針基部の外周に、この遮光体の外周から延出するリング形状の発光部材を設けるもので、文字盤の背後に配置された光源からの光により、指針本体部とこの発光部材を発光させるものが提案されている。これは、指針本体部と発光部材を発光表示することにより、指針表示のデザイン性と装飾性を高めるものである。（特許文献１を参照）。
【特許文献１】特開２００３−４２８１６号公報
【発明の開示】
【発明が解決しようとする課題】
【０００４】
しかし、特許文献１では、指針本体部と発光部材が、透光性樹脂により一体形成されているため、指針本体部の発光色と発光部材の発光色が同一となり、見映えのある斬新な視認性を実現することはできない。また、指針本体部と発光部材が、同一平面内に構成されているため、この視認性は、平凡なものとなる。
【０００５】
本発明は、上記点に鑑みてなされたものであり、発光部材の表示に変化を与え、見映えのある斬新な視認性を実現できる指針計器を提供することを目的とする。
【課題を解決するための手段】
【０００６】
本発明は上記目的を達成するため、以下の技術的手段を採用する。
【０００７】
請求項１に記載の指針計器は、文字盤と、文字盤の表面に沿って回動する指針と、指針を発光させる第１光源と、指針の前方であって少なくとも指針が回動する領域に配設され且つ第１光源が発する光を受けて指針が発する光を入光する受光部と受光部から入光した光を前方へ発する出光部とを有する発光部材とを備える構成とする。
【０００８】
この構成では、発光部材が指針の前方であって少なくとも指針が回動する領域に配設され、第１光源が発する光を受けて指針が発する光を入光する受光部と受光部から入光した光を前方へ発する出光部とを有する。
【０００９】
これにより、指針と発光部材との配置関係により立体的な装飾効果を与えることができると共に、指針の回動に応じて指針が発する光が発光部材へ入光する位置が変動する。このため、発光部材の表示に斬新な変化を与えることができ、その結果、見映えのある斬新な視認性を実現できる。
【００１０】
請求項２に記載の指針計器は、文字盤と、文字盤の表面に沿って回動する指針と、文字盤の背後に配設された第２光源と、指針の前方であって少なくとも指針が回動する領域に配設され且つ第２光源が発する光を入光する受光部と受光部から入光した光を前方へ発する出光部とを有する発光部材とを備える構成とする。
【００１１】
この構成では、発光部材が指針の前方であって少なくとも指針が回動する領域に配設され、文字盤の背後に配設された第２光源が発する光を入光する受光部と受光部から入光した光を前方へ発する出光部とを有する。
【００１２】
これにより、指針と発光部材との配置関係により立体的な装飾効果を与えることができると共に、指針の回動に応じて第２光源が発する光が発光部材へ入光するのを指針が妨げる位置が変動する。このため、発光部材の表示に斬新な変化を与えることができ、その結果、見映えのある斬新な視認性を実現できる。
【００１３】
請求項３に記載の指針計器は、文字盤の背後に配設された第２光源を備え、受光部が第２光源が発する光を入光し、出光部が受光部から入光した光を前方へ発する構成とする。
【００１４】
この構成では、受光部が第１光源が発する光を受けて指針が発する光と第２光源が発する光の両方を入光する。これにより、請求項１と請求項２の両方の効果が得られるため、発光部材の表示にさらに斬新な変化を与えることができ、さらに見映えのある斬新な視認性を実現できる。
【００１５】
請求項４に記載の指針計器は、受光部と出光部の一方が受光部から入光した光の色調を変化させる着色層を備える構成とする。
【００１６】
この構成では、受光部から入光した光の色調（色相、明度、彩度）を変化させる着色層を設けるため、発光部材の表示の変化に、色調の変化を加えることができる。これによりさらに見映えのある斬新な視認性を実現できる。
【００１７】
請求項５に記載の指針計器は、文字盤が第２光源が発する光を発光部材の受光部へ透過させる透光部を備える構成とする。
【００１８】
この構成では、文字盤が第２光源が発する光を発光部材の受光部へ透過させる透光部を備えるため、請求項２、３の効果を簡易な構成で得ることができる。
【００１９】
請求項６に記載の指針計器は、発光部材が受光部から入光した光を出光部に反射する反射面を備える構成とする。
【００２０】
この構成では、発光部材が受光部から入光した光を出光部に反射する反射面を備えるため、請求項２、３の効果を簡易な構成で得ることができる。
【００２１】
請求項７に記載の指針計器は、指針の前方であって指針の中央部に配設された化粧部材を備え、発光部材を化粧部材の外周に配設する構成とする。
【００２２】
この構成では、指針の前方であって指針の中央部に配設された化粧部材を備え、発光部材を化粧部材の外周に配設する。この構成においても、上述の効果を得ることができる。
【００２３】
請求項８に記載の指針計器は、発光部材がその外周側の全側面に不透光層と非反射層の少なくとも一方を備える構成とする。
【００２４】
この構成では、発光部材がその外周側の全側面に不透光層と非反射層の少なくとも一方を備える。指針の発する光が発光部材の側面で反射することにより、指針が側面に映るが、非反射層を備える場合、この指針が側面に映ることを防止できる。これにより、さらに見映えのある斬新な視認性を実現できる。
【００２５】
また、不透光層を備える場合、発光部材内の導光効率が高くなるため、発光部材の表示の変化を効率的に高めることができる。これにより、さらに見映えのある斬新な視認性を実現できる。
【００２６】
請求項９に記載の指針計器は、発光部材がその外周側の側面に凹部と凸部の少なくとも一方を備える構成とする。
【００２７】
この構成では、発光部材がその外周側の側面に凹部と凸部の少なくとも一方を備えるため、発光部材の表示の変化に、凹部や凸部による凹凸の形状変化を加えることができる。これによりさらに見映えのある斬新な視認性を実現できる。
【００２８】
請求項１０に記載の指針計器は、化粧部材が開口部を有し、化粧部材と指針との間に配設され且つ開口部を通して情報を表示する表示器を備える構成とする。
【００２９】
この構成では、化粧部材と指針との間に配設され且つ開口部を通して情報を表示する表示器を備え、この構成においても、上述の効果を得ることができる。
【００３０】
請求項１１に記載の指針計器は、車両用の指針計器であって、表示器が自車両に関する異常内容を告知する情報を表示する構成とする。
【００３１】
この構成では、表示器が自車両に関する異常内容を告知する情報を表示するものであり、この構成においても、上述の効果を得ることができる。
【００３２】
請求項１２に記載の指針計器は、出光部が凹部と凸部の少なくとも一方を備える構成とする。
【００３３】
この構成では、出光部が凹部と凸部の少なくとも一方を備えるため、発光部材の表示の変化に、凹部や凸部による前後方向の変化（浮き沈みの変化）を加えることができる。これによりさらに見映えのある斬新な視認性を実現できる。
【００３４】
請求項１３に記載の指針計器は、発光部材が文字盤と指針の前面を覆う透光性フロントカバーの一部として形成され、受光部が透光性フロントカバーから指針に向かって延出する延出部の端部として形成される構成とする。
【００３５】
この構成では、発光部材が文字盤と指針の前面を覆う透光性フロントカバーの一部として形成されるため、上述の効果を簡易な構成で得ることができる。
【発明を実施するための最良の形態】
【００３６】
以下、本発明による指針計器を、自動車に搭載されるコンビネーションメータ１に適用した場合を例に図面に基づいて説明する。
【００３７】
（第１実施形態）
図１は、本発明の第１実施形態による指針計器であるコンビネーションメータ１の正面図である。図１の矢印が示す上下方向が自動車の上下方向と同じである。
【００３８】
図２は、図１中のＩＩ−ＩＩ線断面図である。
【００３９】
図３は、本発明の第１実施形態によるコンビネーションメータ１の電気回路構成を説明する回路構成図である。
【００４０】
指針計器であるコンビネーションメータ１は、自動車の運転席前方に配置されて当該自動車に関する各種情報を表示する。
【００４１】
本発明の第１実施形態によるコンビネーションメータ１は、図１に示すように、走行速度を表示する速度計と、その中央部の表面側に配置され自車両に備わる機器の異常を警告する表示器であるウォーニング２０とから構成される。
【００４２】
速度計は、走行速度を表示して運転者に視認させるための文字盤２を備え、文字盤２は、透光性を有する材料、例えば透明なポリカーボネート樹脂等の板材から形成される。
【００４３】
文字盤２の表面または裏面には、文字（数字を含む）２ａと目盛２ｂが透光状態になるように、これらの文字２ａと目盛２ｂの背景部分がつや消しの不透光状態（または、つや消しの透光性が低い状態）になるように印刷あるいはホットスタンプ等を施して形成される。
【００４４】
文字盤２には、図２に示すように、後述するムーブメント４のシャフト４ａを挿通させるための貫通孔２ｃが設けられ、文字盤２の背後（図２の矢印が示す右側）には、リフレクタ６、ムーブメント４、第１光源である発光ダイオード５ａ、発光ダイオード５ｂ、およびプリント基板７が配置される。プリント基板７は、速度計の電気回路部を形成するものであり、ムーブメント４と発光ダイオード５ａ、５ｂは、プリント基板７に実装される。
【００４５】
ムーブメント４は、例えば交差コイル式アクチュエータ、あるいはステッピングモータ等から構成され、外部からの電気信号（本実施形態においては車速信号）に対応した角度だけシャフト４ａを回動させるものである。シャフト４ａは、文字盤２の貫通孔２ｃを通して表面側、つまり図２の矢印が示す左側へ延出し、その先端に指針３が固定される。
【００４６】
リフレクタ６は、発光ダイオード５ａからの例えば白色光を指針３へ導くものであり、発光ダイオード５ｂからの例えば白色光を文字盤２へ導くものである。ここで、文字盤２は、発光ダイオード５ｂからの白色光により、文字２ａと目盛２ｂ（図１）が例えば黄色で発光表示されるように構成され、文字２ａと目盛２ｂの背景部分が例えば青色表示されるように構成される。
【００４７】
指針３は、アクリル樹脂等の透光性材料により形成され、反射面３ａとシボ面３ｂを有する。反射面３ａは、指針３内に入射した発光ダイオード５ａの例えば白色光を、シボ面３ｂへ反射するものである。シボ面３ｂは、微細な凹凸のピッチが密であるように形成されたものであり、反射面３ａからの白色の反射光を、指針３の前方（図中の矢印が示す左側の方向）へ白色光として反射するものである。これにより、指針３は、白色で発光表示される。
【００４８】
コンビネーションメータ１の筐体は、図２に示すように、文字盤２や指針３の表面側（図２の矢印が示す左側）を覆う透光性フロントカバーである透明なフロンとカバー１０と、文字盤２の端部を覆う意匠板１１とケース１２とから構成される。
【００４９】
ウォーニング２０は、図１と図２において、液晶パネル２１と発光ダイオード２２と拡散板２３とリフレクタ２４とプリント基板２５とから構成される。ウォーニング２０は、円形の開口部１１ｂを有する円形の化粧部材である化粧部１１ａの背後（図２の矢印が示す右側）であって指針３の前面（図２の矢印に示す左側）に配置される。
【００５０】
意匠板１１は、化粧部１１ａ、これを支持する支持部１１ｃ、及び接続部１１ｄを有し、これらは、樹脂材料等で一体に形成される。ウォーニング２０は、液晶パネル２１が開口部１１ｂを通して運転席側（図２の矢印が示す左側）から視認できるように構成される。
【００５１】
液晶パネル２１の背後（図２の矢印が示す右側）に配置される発光ダイオード２２は、例えば白色光で液晶パネル２１を透過照明するバック光源であり、リフレクタ２４は、発光ダイオード２２からの白色光を、拡散板２３を介して液晶パネル２１に導くものである。拡散板２３は、発光ダイオード２２からの白色光を液晶パネル２１へ均一に導くものである。
【００５２】
プリント基板２５、ウォーニング２０の電気回路部を形成するものであり、液晶パネル２１は、このプリント基板２５にリード線（図示せず）等により接続され、発光ダイオード２２は、プリント基板２５に実装される。
【００５３】
液晶パネル２１は、例えば、電圧無印加時には遮光性となると共に電圧印加時には透光性となる表示セグメントであるドットセグメントにより構成される。液晶パネル２１は、は、その全体が電圧無印加時には全体が黒色（遮光状態）となり、図１では、一例として、所定のドットセグメントに電圧を印加することにより、バッテリ電圧が所定値より低いことを運転者に警告するバッテリ電圧警告を表示している。尚、液晶パネル２１は、必要に応じて、他の図示しない警告を表示する。
【００５４】
次に、本発明の特徴である発光部材８について説明する。
【００５５】
発光部材８は、アクリル樹脂等の透光性材料により形成され、意匠板１１に対してその化粧部１１ａと支持部１１ｃの外周に接着や引っかけ等で固定される。発光部材８は、受光部である受光面８ａと、出光部である出光面８ｂとを有し、着色層８ｄが受光面８ａ上に形成され、凸部８ｅが側面８ｃに形成される。
【００５６】
着色層８ｄは、光の色調（色相、明度彩度、）を変化させるもので、具体的に、発光ダイオード５ａが発する白色光を受けて指針３が発する白色光を、例えば赤色に変化（着色）させものである。受光面８ａは、この着色された赤色光を発光部材８へ入光するものである。出光面８ｂは、受光面８ａから入光した赤色光を、前方（図２の矢印が示す左側の方向）へ発するものである。
【００５７】
凸部８ｅは、後述する見映えのある斬新な視認性を実現する機能に加えて、これを文字２ａの「０、２０、４０、６０・・・」に対応する位置に形成することで、目盛２ｂを補完する機能も有するものである。
【００５８】
以上説明した本実施形態によるコンビネーションメータ１の電気回路構成について、図３に基づいて説明する。
【００５９】
マイクロコンピュータ等から構成される制御装置９には、バッテリ２９から電力が常時供給され、イグニッションスイッチ２８がその操作ポジション（オフポジション、オンポジション）を検出可能に接続される。また、制御装置９には当該自動車の走行速度を検出する車速センサ２６、バッテリ２９の電圧を測定する電圧センサ２７、および図示しないセンサ等がそれらの信号を入力可能に接続される。
【００６０】
また、車速センサ２６からの検出信号に応じて制御装置９によって駆動されるムーブメント４、発光ダイオード５ａ、５ｂ、２２および電圧センサ２７等の各種センサからの検出信号に応じて制御装置９により駆動される液晶パネル２１も、制御装置９に接続される。
【００６１】
以下に、上記構成において、第１実施形態によるコンビネーションメータ１の作動を説明する。
【００６２】
運転者によってイグニッションスイッチ２８がオンされると、図３において、制御装置９は、それを検出して作動を開始し、発光ダイオード５ａ、５ｂ、２２を点灯させると共に、ムーブメント４と液晶パネル２１とを駆動する。
【００６３】
即ち、制御装置９は、速度センサ２６からの出力信号に基づき、当該自動車の車速を算出し、これに対応した角度だけシャフト４ａを回動させるように、ムーブメント４を駆動する。また、制御装置９は、電圧センサ２７等のセンサの出力信号に基づき、液晶パネル２１を駆動し、所定の条件で、液晶パネル２１に必要な警告を表示させる。
【００６４】
点灯された発光ダイオード５ｂの白色光は、図２において、リフレクタ６により導かれ、図示しない拡散板で均一化されて、文字盤２を透過照明する。これにより、文字２ａと目盛２ｂは、黄色で発光表示され、文字２ａと目盛２ｂの背景部分は、青色で表示される。
【００６５】
一方、点灯された発光ダイオード５ａの白色光は、図２中の矢印Ｐの光路に従って、リフレクタ６により導かれて指針３に入射し、反射面３ａとシボ面３ｂで反射して、指針３を白色で発光表示させる。
【００６６】
また、制御装置９は、電圧センサ２７の出力信号に基づきバッテリ２９の電圧が所定値より低いと判断した場合、液晶パネル２１を駆動し、図１に示すバッテリ電圧警告を表示させる。
【００６７】
具体的には、図１に示すバッテリ電圧警告の形状の位置のドットセグメントのみ、電圧が印加される。これにより、液晶パネル２１において、バッテリ電圧警告の形状の領域は、透光性の状態となり、その背景領域は、遮光性の状態となる。一方、点灯された発光ダイオード２２の白色光は、リフレクタ２４により導かれ、拡散板２３で均一化され、液晶パネル２１を透過照明する。
【００６８】
これにより、液晶パネル２１は、バッテリ電圧警告の形状を、黒色の背景領域に対して白色で表示する。
【００６９】
以下に、発光部材８の表示について詳細に説明する。
【００７０】
上述したように、点灯された発光ダイオード５ａの白色光は、図２中の矢印Ｐの光路に従って、リフレクタ６により導かれて指針３に入射し、反射面３ａとシボ面３ｂで反射して、指針３から前方（図１中の矢印が示す左側の方向）へ、白色光として出射する。その出射光の一方は、矢印Ｐ２の光路に従って、フロントカバー１０を透過し、これにより、指針３は、白色で発光表示される。
【００７１】
指針３から前方へ出射した白色の出射光の他方は、矢印Ｐ１の光路に従って、発光部材８を透過し、これにより、指針３の一部は、赤色で発光表示される。
【００７２】
具体的には、指針３から前方へ出射した白色の出射光の他方は、矢印Ｐ１の光路に従って、発光部材８の着色層８ｄにより赤色に変化し（着色され）て受光面８ａから発光部材８に入射する。この赤色の入射光は、出光面８ｂから前方（図２の矢印が示す左側の方向）へ出射し、これにより、指針３の一部は、赤色で発光表示される。
【００７３】
即ち、図１において、指針３は、発光部材８と重ならない部分が白色で発光表示されるが、発光部材８と重なる部分が赤色で発光表示される。なお、この赤色で発光表示された部分は、白色で発光表示された部分より浮いて見えるため、立体的な装飾効果を得ることもできる。
【００７４】
また、指針３が回動すると、発光部材８と重なる指針３の部分がこの回動に従って回動するため、この赤色で発光表示された部分が回動する。しかも、凸部８ｅにより、この赤色で発光表示される部分の大きさが、より大きくなる方向へ変動する。
【００７５】
これにより、発光部材８を備える指針計器であるコンビネーションメータ１において、発光部材８の赤色の発光表示は、指針３の回動に応じて、その位置とその大きさが変化する。その結果、指針３の発光表示と文字盤２の表示とのコントラスト等（立体的な装飾効果を含む）と相俟って、発光部材８の表示に斬新な変化を与え、見映えのある斬新な視認性を実現できる。
【００７６】
以上説明した本発明の第１実施形態による指針計器であるコンビネーションメータ１では、発光部材８が、指針３の前方であって指針３が回動する領域に配設され、第１光源である発光ダイオード５ａが発する光を受けて指針３が発する光を入光する受光部である受光面８ａと受光面８ａから入光した光を前方へ発する出光部である出光面８ｂとを有する。
【００７７】
これにより、指針３と発光部材８との配置関係により、立体的な装飾効果を与えることができると共に、指針３の回動に応じて指針３が発する光が発光部材８へ入光する位置が変動するため、発光部材８の表示の位置や大きさに斬新な変化を与えることができる。その結果、見映えのある斬新な視認性を実現できる。
【００７８】
尚、指針３の発する白色光が発光部材８の側面８ｃで反射することにより、指針３が側面８ｃに映る効果もある。逆に、この効果を除去するため、発光部材８の側面８ｃ上に黒色の塗料等を塗装等してもよい。例えば、不透光層である白色や銀色等の反射率の高い塗料で塗装した後に非反射層である黒色等の塗料で塗装する。この場合、発光部材８内の導光効率が高くなるという効果も得られ、発光部材８の表示の変化を効率的に高めることができる。
【００７９】
また、凸部８ｅを、発光部材８の側面８ｃの代わりに、出光面８ｂに形成してもよい。この場合、発光部材８と重なる指針３の部分は、凸部８ｅにより、その大きさが変動する代わりに、浮いて見える度合いが、より浮いて見える方向へ変動する。
【００８０】
また、凸部８ｅの代わりに凹部を形成してもよい。この場合、発光部材８と重なる指針３の部分は、凹部により、凸部８ｅによる変動する方向と逆の方向へ変動する。具体的には、凹部を発光部材８の側面８ｃに形成する場合、発光部材８と重なる指針３の部分は、凹部により、その大きさがより小さくなる方向へ変動する。
【００８１】
また、シボ面３ｂの代わりに塗装面等の拡散反射層を形成してもよい。または、指針３自体が、例えば赤色で着色された透光性材料でもよい。
【００８２】
また、上述の例では、指針３を白色で発光表示させ、文字盤２の文字２ａと目盛２ｂを黄色で発光表示させ、その背景部を青色で表示させ、指針３と発光部材８の重なる部分を赤色で発光表示させた。しかし、これに限る必要はなく、他の色の組み合わせが種々考えられる。
【００８３】
（第２実施形態）
図４は、本発明の第２実施形態による指針計器であるコンビネーションメータ１の正面図である。
【００８４】
図５は、図４中のＶ−Ｖ線断面図である。
【００８５】
本発明の第２実施形態による指針計器であるコンビネーションメータ１では、第１実施形態と異なり、発光ダイオード５ａの代わりに発光ダイオード５ｂを第２光源として用いる。
【００８６】
図５に示すように、文字盤２は、発光ダイオード５ｂが発する例えば白色光を発光部材８の受光面８ａへ透過させる透光部である開口部２ｄを有し、発光部材８は、受光面８ａから入光した白色光を出光面８ｂへ反射する反射面８ｆを有する。また、着色層８ｄを、出光面８ｂ上に形成する。
【００８７】
即ち、点灯された発光ダイオード５ｂの白色光は、図５中の矢印Ｑの光路に従って、リフレクタ６により導かれて、発光部材８の受光面８ａから入射する。この白色の入射光は、反射面８ｆで反射して、出光面８ｂから着色層８ｄに入射する。この白色の入射光は、着色層８ｄにより赤色に変化して（着色されて）、前方（図５中の矢印が示す上側の方向）へ、赤色光として出射し、発光部材８を赤色で発光表示させる。
【００８８】
但し、指針３と発光部材８と重なる部分は、矢印Ｑの光路の白色光が一点差線で示す指針３によって遮断されるため、赤色の発光表示の中で暗い影として表示される。一方、発光部材８の赤色で発光表示された部分は、発光部材８と重ならない指針３の白色で発光表示された部分より浮いて見えるため、立体的な装飾効果を得ることもできる。
【００８９】
指針３が回動すると、発光部材８と重なる指針３の部分がこの回動に従って回動するため、この暗い影となる部分が回動する。
【００９０】
これにより、発光部材８を備える指針計器であるコンビネーションメータ１において、発光部材８の赤色の発光表示は、指針３の回動に応じて、指針３によって発光部材８の発光表示が妨げられる位置が変化する。その結果、指針３の発光表示と文字盤２の表示とのコントラスト等（立体的な装飾効果を含む）と相俟って、発光部材８の表示に斬新な変化を与え、見映えのある斬新な視認性を実現できる。
【００９１】
以上説明した本発明の第２実施形態による指針計器であるコンビネーションメータ１では、発光部材８が、指針３の前方であって指針３が回動する領域に配設され、文字盤２の背後に配設された第２光源である発光ダイオード５ｂが発する光を入光する受光部である受光面８ａと、受光面８ａから入光した光を反射する反射面８ｆと、反射面８ｆで反射した光を前方へ発する出光部である出光面８ｂとを有する。
【００９２】
これにより、指針３と発光部材８との配置関係により立体的な装飾効果を与えることができると共に、指針３の回動に応じて発光ダイオード５ｂが発する光が発光部材８へ入光するのを指針３が妨げる位置が変動する。このため、発光部材８の表示に斬新な変化を与えることができ、その結果、見映えのある斬新な視認性を実現できる。
【００９３】
上述したように、文字盤２では、文字２ａと目盛２ｂの背景部分を、つや消しの不透光状態（または、つや消しの透光性が低い状態）になるように、透光性板材の表面または裏面に不透光層を印刷あるいはホットスタンプ等を施して形成する。そこで、開口部２ｄの代わりに、この不透光層を形成しない開口部を、形成してもよい。
【００９４】
（変形例）
図６は、図２の変形例を示す断面図である。
【００９５】
本変形例による指針計器であるコンビネーションメータ１では、上述の実施形態と異なり、発光部材８を、透光性フロントカバーであるフロントカバー１０の一部として形成する。
【００９６】
図６に示すように、発光部材８をフロントカバー１０から３指針に向かって延出する延出部として形成し、受光面８ａをその延出部の端部に設ける。また、着色層８ｄを、受光面８ａ上に形成する。これにより、本変形例でも、上述の効果を得ることができる。
【００９７】
尚、上述の実施形態や変形例の構成に限らず、これらを組み合わせたものであってもよい。
【００９８】
また、上述の実施形態や変形例では、距離計や液晶パネル２１を用いたウォーニング２０を形成しているが、これらに限る必要は無く、他の計器、例えば回転計、燃料計、自車両に備わる機器の作動状態を知らせるインジケータ等と置き換える、あるいは追加してもよい。
【図面の簡単な説明】
【００９９】
【図１】図１は、本発明の第１実施形態による指針計器であるコンビネーションメータ１の正面図である。
【図２】図２は、図１中のＩＩ−ＩＩ線断面図である。
【図３】図３は、本発明の第１実施形態によるコンビネーションメータ１の電気回路構成を説明する回路構成図である。
【図４】図４は、本発明の第２実施形態による指針計器であるコンビネーションメータ１の正面図である。
【図５】図５は、図４中のＶ−Ｖ線断面図である。
【図６】図６は、図２の変形例を示す断面図である。
【符号の説明】
【０１００】
１    コンビネーションメータ（指針計器）
２    文字盤
２ａ    文字
２ｂ    目盛
２ｃ    貫通孔
２ｄ    開口部（透光部）
３    指針
３ａ    反射面
３ｂ    シボ面
４    ムーブメント
４ａ    シャフト
５ａ    発光ダイオード（第１光源）
５ｂ    発光ダイオード（第２光源）
６    リフレクタ
７    プリント基板
８    発光部材
８ａ    受光面（受光部）
８ｂ    出光面（出光部）
８ｃ    側面
８ｄ    着色層
８ｅ    凸部（凹部）
８ｆ    反射面
９    制御装置
１０    フロントカバー（透光性フロントカバー）
１１    意匠板
１１ａ    化粧部（化粧部材）
１１ｂ    開口部
１１ｃ    支持部
１１ｄ    接続部
１２    ケース
２０    ウォーニング（表示器）
２１    液晶パネル
２２    発光ダイオード
２３    拡散板
２４    リフレクタ
２５    プリント基板
２６    速度センサ
２７    電圧センサ
２８    イグニッションスイッチ
２９    バッテリ
【図１】
2006220622.tif 000003
【図２】
2006220622.tif 000004
【図３】
2006220622.tif 000005
【図４】
2006220622.tif 000006
【図５】
2006220622.tif 000007
【図６】
2006220622.tif 000008